(57)【要約】【課題】照明器具等を接続させるための配線を、屋内に露出させることなく、且つデザイン性を損なうことなく配設できる構造用内装集成材を提供する。【解決手段】複数のラミナ材１３を積層して形成され、住宅建築物の屋内の天井面から露出する化粧梁１１として用いられると共に、長手方向に貫通して配線用貫通孔１４が設けられた構造用内装集成材１０であって、配線用貫通孔１４は、集成材１０を構成するラミナ材１３の一部に長手方向に延設する切欠き溝１５を設けておき、この切欠き溝１５が設けられたラミナ材１３ｂを他のラミナ材１３と共に積層することにより、切欠き溝１５による空隙によって形成される。また切欠き溝１５に沿って、切断又は切削が可能な耐熱配管材１６が予め取り付けられており、切欠き溝１５が設けられたラミナ材１３ｂは、最も屋内側に配置されるラミナ材１３ａの内側に隣接して積層される。【選択図】        図３
2004276296.tif 000002
【特許請求の範囲】
【請求項１】
複数のラミナ材を積層して形成され、住宅建築物の屋内の天井面又は壁面から露出する梁用又は柱用の構造材として用いられると共に、長手方向に貫通して配線用貫通孔が設けられた構造用内装集成材であって、
前記配線用貫通孔は、前記集成材を構成するラミナ材の一部に長手方向に延設する切欠き溝を設けておき、該切欠き溝が設けられたラミナ材を他のラミナ材と共に積層することにより、前記切欠き溝による空隙によって形成されることを特徴とする構造用内装集成材。
【請求項２】
プレカットされた構造用内装集成材であって、前記配線用貫通孔には、照明用の配線が予め配設されている請求項１記載の構造用内装集成材。
【請求項３】
前記切欠き溝に沿って、切断又は切削が可能な耐熱配管材が予め取り付けられており、前記配線用貫通孔は、前記耐熱配管材の中空内部によって形成される請求項１又は２に記載の構造用内装集成材。
【請求項４】
前記切欠き溝が設けられたラミナ材は、集成材の最外層で且つ屋内側に配置されるラミナ材か、或いは集成材の最外層で且つ屋内側に配置されるラミナ材の内側に隣接して積層されるラミナ材である請求項１〜３のいずれかに記載の構造用内装集成材。
【請求項５】
前記集成材の屋内側の面から前記配線用貫通孔に向けて穿孔形成した接続孔を介して前記配線用貫通孔に配設される照明用の配線と接続されて、照明器具が取り付けられている請求項１〜４のいずれかに記載の構造用内装集成材。
【発明の詳細な説明】
【０００１】
【発明の属する技術分野】
本発明は、構造用内装集成材に関し、特に複数のラミナ材を積層して形成され、住宅建築物の屋内の天井面又は壁面から露出する梁用又は柱用の構造材として用いられると共に、長手方向に貫通して配線用貫通孔が設けられた構造用内装集成材に関する。
【０００２】
【従来の技術】
集成材は、一般に、ひき板（ラミナ材）や小角材等を繊維方向を互いに平行にして長さ、幅、厚さ方向に集成接着することによって形成される木製の部材であり、梁や柱等の構造物の耐力部材として用いられる構造用集成材と、構造耐力を期待しない造作部材として用いられる造作用集成材とに大別される。構造用集成材は、等級分けされたラミナ材を主に厚さ方向又は幅方向に積層して構成されることにより、同様の断面の無垢材等と比較して高い曲げ剛性を得ることができる部材であり、所定の構造耐力が効率良く得られるように、ラミナ材の材質や積層方向への配置等に種々の工夫がなされている。
【０００３】
また、構造用集成材の曲強度をさらに向上させることを目的として、金属板等の補強材を当該集成材の内部に埋設したもの（例えば、特許文献１参照）や、集成材の中央部分に貫通孔を設けてこの貫通孔に補強用の鋼棒等を配設したもの（例えば、特許文献２参照）が開発されている。さらに、住宅内部に効率良く光ファイバーを張り巡らすことを目的として、素片（ラミナ材）に形成した溝を介して光ファイバーを埋設した構造用集成材も開発されている（例えば、特許文献３参照）。
【０００４】
【特許文献１】
特開平１０−３４６１２号公報
【特許文献２】
特開２００１−１５０４１１号公報
【特許文献３】
特開２００２−１５６０９３号公報
【０００５】
【発明が解決しようとする課題】
一方、特に住宅建築物においては、上階の床構造を支持する床梁（天井梁）を天井用の化粧材によって覆い隠さないように配置して屋内空間を広く確保したり、木質材料の木質感や重厚感によるデザイン性を屋内に付与することを目的として、梁や柱等の木製構造材を屋内に露出させたままの状態で設ける場合があり、またこのような木製構造材として、複数のラミナ材を積層させてなる構造用集成材を直接屋内に露出させることにより、その装飾機能によって、無垢材や、表面に薄板等を張り付けた化粧構造材を露出させる場合と比較して、デザイン性に優れた屋内空間が得られるものと考えられる。
【０００６】
しかしながら、このような構造用集成材を、屋内に露出させて用いる構造用内装集成材として使用する際には、当該構造用内装集成材に照明器具等を取り付ける必要を生じる場合があり、これらの照明器具等を接続させるための配線が、構造用内装集成材の周囲に露出すると、却って美感を損なうことになる。このため、周囲の配線を化粧材で覆うこと等によって対処することが考えられるが、周囲に余分な部材が現れて、構造用内装集成材のすっきりとした外観によるデザイン性が損なわれることになる。
【０００７】
本発明は、このような従来の課題に着目してなされたものであり、照明器具等を接続させるための配線を、屋内に露出させることなく、且つデザイン性を損なうことなく配設することを可能にする構造用内装集成材を提供することを目的とする。
【０００８】
【課題を解決するための手段】
本発明は、複数のラミナ材を積層して形成され、住宅建築物の屋内の天井面又は壁面から露出する梁用又は柱用の構造材として用いられると共に、長手方向に貫通して配線用貫通孔が設けられた構造用内装集成材であって、前記配線用貫通孔は、前記集成材を構成するラミナ材の一部に長手方向に延設する切欠き溝を設けておき、該切欠き溝が設けられたラミナ材を他のラミナ材と共に積層することにより、前記切欠き溝による空隙によって形成されることを特徴とする構造用内装集成材を提供することにより、上記目的を達成したものである（請求項１記載の発明）。
【０００９】
ここで、上記記載において、積層されるラミナ材の一部に設けられる切欠き溝は、当該ラミナ材の厚さの一部を切り欠いて形成される切欠き溝の他、当該ラミナ材の全厚さに亘って切り欠いて当該ラミナ材を分断し、分断されたラミナ片を間隔をおいて並べることにより、この間隔部分によってラミナ材の全厚さに亘って設けられる切欠き溝も含まれる。また切欠き溝の断面形状は、矩形形状に限定されるものではなく、半円形状等、その他の断面形状を有するものであっても良い。
【００１０】
また、本発明の構造用内装集成材は、プレカットされた構造用内装集成材であって、前記配線用貫通孔には、照明用の配線が予め配設されていることが好ましい（請求項２記載の発明）。
【００１１】
さらに、本発明の構造用内装集成材によれば、前記切欠き溝に沿って、切断又は切削が可能な耐熱配管材が予め取り付けられており、前記配線用貫通孔は、前記耐熱配管材の中空内部によって形成されることが好ましい（請求項３記載の発明）。
【００１２】
さらにまた、本発明の構造用内装集成材によれば、前記切欠き溝が設けられたラミナ材は、集成材の最外層で且つ屋内側に配置されるラミナ材か、或いは集成材の最外層で且つ屋内側に配置されるラミナ材の内側に隣接して積層されるラミナ材であることが好ましい（請求項４記載の発明）。
【００１３】
また、本発明の構造用内装集成材によれば、前記集成材の屋内側の面から前記配線用貫通孔に向けて穿孔形成した接続孔を介して前記配線用貫通孔に配設された配線と接続して、照明器具が取り付けられることが好ましい（請求項５記載の発明）。
【００１４】
【発明の実施の形態】
本発明の好ましい実施形態を添付図面を参照しつつ詳細に説明する。本発明の一実施形態に係る構造用内装集成材１０は、図１及び図２に示すように、住宅建築物の骨組みを構成する耐力部材であると共に、天井面の下方に露出して設けられる化粧梁１１の一部として用いられ、当該構造用内装集成材１０から下方に吊り下げられる照明器具１２を取り付けて使用されるものである。ここで、化粧梁１１は、上階の床構造を支持するための構造用集成材からなる耐力部材であって、天井用の化粧材によって覆い隠さないように配置されて室内空間を広く確保すると共に、構造用集成材の木質感や重厚感によるデザイン性を付与するべく天井面の下方に露出して設けられる梁部材である。そして、本実施形態の構造用内装集成材１０は、このような化粧梁１１の一部として室内空間の略中央に配置され、内部には照明器具１２を接続可能な配線が配設されるものである。
【００１５】
すなわち、本実施形態の構造用内装集成材１０は、図３及び図４にも示すように、複数のラミナ材１３を積層して形成され、住宅建築物の室内（屋内）の天井面から露出する化粧梁１１用の構造材として用いられると共に、長手方向に貫通して配線用貫通孔１４が設けられており、且つ配線用貫通孔１４は、集成材を構成するラミナ材１３の一部（一枚）に長手方向に延設する切欠き溝１５を設けておき、切欠き溝１５が設けられたラミナ材１３ｂを他のラミナ材１３と共に積層することにより、切欠き溝１５による空隙によって形成されている。
【００１６】
また、本実施形態の構造用内装集成材１０は、ラミナ材１３ｂに設けられた切欠き溝１５に沿って、切断又は切削が可能な耐熱配管材１６が予め取り付けられており、配線用貫通孔１４は、耐熱配管材１６の中空内部によって形成されている。
【００１７】
さらに、本実施形態の構造用内装集成材１０によれば、切欠き溝１５が設けられたラミナ材１３ｂは、当該集成材１０の最外層で且つ室内側（下方）に配置されるラミナ材１３ａの内側に隣接して積層されている。
【００１８】
本実施形態の構造用内装集成材１０を構成するラミナ材１３は、構造用集成材を構成するラミナ材として公知の種々の木製材料を用いることができ、例えばスギやマツ等による無垢材、パーティクルランバー、配向ストランドランバー、単板積層材等を、長尺の矩形断面を有する平板形状に切断加工して使用することができる。また本実施形態によれば、構造用内装集成材１０は、８枚のラミナ材１３を積層した８プライの集成材として形成されており、最外層に配置されるラミナ材１３ａ，１３ｈは、曲げヤング係数が最も大きなラミナ材となっており、最外層の内側に隣接する中間層に配置されるラミナ材１３ｂ，１３ｇは、曲げヤング係数が次に大きなラミナ材となっている。さらに、中間層の内側に配置される４枚のラミナ材１３ｃ〜１３ｆは、いずれも曲げヤング係数が最も低いラミナ材となっている。
【００１９】
なお、本実施形態によれば、最も室内側に配置される最下層のラミナ材１３ａの内側に隣接して積層される中間層のラミナ材１３ｂには、後述するように、切欠き溝１５が形成されることから、この切欠き溝１５の断面欠損による強度不足を補うべく、最外層のラミナ材１３ａ，１３ｈ及びこれに隣接する中間層のラミナ材１３ｂ，１３ｇは、その曲げヤング係数が他の化粧梁１１のラミナ材よりもグレードが高いものとなっている。
【００２０】
そして、本実施形態によれば、切欠き溝１５が設けられるラミナ材１３ｂは、ラミナ材１３ｂの全厚さに亘って切欠き溝１５を切り欠いて当該ラミナ材１３ｂを分断し、分断されたラミナ片１７，１７を間隔をおいて並べることにより、この間隔部分によってラミナ材１３ｂの全厚さに亘った切欠き溝１５を、ラミナ材１３ｂの中央略１／３の領域に形成したものである。また本実施形態によれば、この切欠き溝１５には、矩形断面形状の耐熱配管材１６を配設し、この耐熱配管材１６を挟んだ両側に、接着剤を介してラミナ片１７，１７を各々接合一体化することにより、その中央部分の切欠き溝１５に耐熱配管材１６が填め込まれたラミナ材１３ｂが一体として形成されることになる。
【００２１】
ここで、ラミナ材１３ｂの切欠き溝１５に配設される耐熱配管材１６は、鋸等の切断装置や穴開けドリル等の穿孔装置によって切断又は切削が可能な材料であり、且つ耐熱・難燃効果の高い材料として、例えばスチール、Ｔｉ合金繊維、アルミナ繊維、ボロン繊維、ガラス繊維、炭素繊維、ケプラー繊維、木材、フェノール・ガラス繊維、スチレン・アクリロニトリル、ＡＢＳ、ポリプロピレン、ポリカーボネート等からなり、本実施形態によれば、照明用の配線１８を配設できる大きさの中空内部を有する矩形断面形状を備えている。また、耐熱配管材１６は、接着剤として例えばエポキシ、変性酢酸ビニル、水性高分子イソシアネート、レゾルシノール、フェノール、ウレタン、アクリル系接着剤等を用いて、切欠き溝１５に沿って配設された状態でラミナ片１７，１７に強固に接合一体化されることになる。なお、切断又は切削が可能な耐熱配管材１６の材料として、例えばスチール或いは強化繊維等の高強度材料を用いることにより、ラミナ材１３ｂに切欠き溝１５が設けられることによる強度の低下を容易に補うことが可能になる。
【００２２】
そして、本実施形態の構造用内装集成材１０は、略同等の厚さ及び平板形状を有する８枚のラミナ材１３ａ〜１３ｈを、切欠き溝１５に耐熱配管材１６が填め込まれたラミナ材１３ｂを最外層のラミナ材１３ａの内側に配置しつつ所定の順番で積層しながら、集成材用の公知の接着剤として例えばエポキシ系樹脂やイソシアネート系樹脂等を用いて接合一体化することにより、長手方向に貫通する配線用貫通孔１４が設けられた化粧梁１１として容易に形成されることになる。
【００２３】
このように形成された構造用内装集成材１０は、所定の長さに切断加工等された後に、室内の天井部分の周囲に配置された主梁１９（図１，図２参照）間に架設設置されることになる。なお、本実施形態によれば、構造用内装集成材１０の内部に耐熱配管材１６が埋設されているが、この耐熱配管材１６は切断可能な材料からなるので、切断作業に支障を来すことがない。
【００２４】
また、本実施形態によれば、室内の天井部分に設置された構造用内装集成材１０に照明器具１２を取り付ける際には、まず、例えば当該照明器具１２の取付け位置における構造用内装集成材１０の下面（屋内側の面）側から、配線用貫通孔１４に向けて接続孔（図示せず。）を穿孔形成する。次に、形成した接続孔から例えば針金等の線状部材を配線用貫通孔１４に挿入し、構造用内装集成材１０の端部において挿入した線状部材の端部に照明用の配線１８を係止すると共に、当該配線１８を、配線用貫通孔１４の内部に配設されるように引き込む。しかる後に、配線用貫通孔１４に引き込んだ配線１８の端部に、接続孔を介して照明器具１２を接続すると共に、構造用内装集成材１０の下面から吊り下げるように係止して、照明器具１２が容易に設置されることになる。なお、耐熱配管材１６は切断可能な材料からなるので、接続孔を形成するための穿孔作業に支障を来すことがない。
【００２５】
さらに、本実施形態によれば、構造用内装集成材１０は、プレカット工場等において予め所定の長さ及び端部形状を有するようにプレカットして用いることができ、このような場合には、構造用内装集成材１０は、当該構造用内装集成材１０が主梁１９間に架設設置される前に、照明用の配線１８を配線用貫通孔１４に予め配設した状態で取り付けて使用することができる。構造用内装集成材１０の配線用貫通孔１４に配線１８が予め配設されている場合には、配線用貫通孔１４に向けて穿孔形成した接続孔を介して、配設された配線１８の当該接続孔を挟んだ一方の側を配線用貫通孔１４から引き出し、これに照明器具１２を接続することにより、上述と同様に照明器具１２を容易に設置することが可能になる。
【００２６】
そして、本実施形態の構造用内装集成材１０によれば、照明器具１２を接続させるための配線１８を、室内に露出させることなく、且つデザイン性を損なうことなく容易に配設することができる。すなわち、本実施形態によれば、構造用内装集成材１０は、切欠き溝１５が設けられたラミナ材１３ｂを他のラミナ材１３と共に積層することによって、長手方向に貫通する配線用貫通孔１４を備えているので、この配線用貫通孔１４に照明用の配線１８を配設することにより、化粧梁１１としての構造用内装集成材１０の周囲に露出させることなく、且つ化粧材で覆うことなく配線１８を容易に覆い隠して、木質材料による木質感や重厚感と共に、構造用内装集成材１０のすっきりとした外観によるデザイン性を効果的に発揮することが可能になる。
【００２７】
また、本実施形態によれば、切欠き溝１５に沿って耐熱配管材１６が配置されており、これの中空内部を配線用貫通孔１４として、照明用の配線１８が耐熱配管材１６によって周囲を覆われた状態で配設されているので、照明器具１２等の使用によって配線１８が熱を持っても、この熱が構造用内装集成材１０に伝わるのを効果的に回避、若しくは抑制することが可能になり、これによって構造用内装集成材１０の内部に配線１８が埋設された状態における安全性をさらに向上させることが可能になる。
【００２８】
さらに、本実施形態によれば、切欠き溝１５が設けられたラミナ材１３ｂは、構造用内装集成材１０の最も室内側に配置されるラミナ材１３ａの内側に隣接して、室内側に近い位置に積層されているので、照明器具１２を接続する接続孔の穿孔長が短くなって穿孔作業を容易且つ正確に行うことができると共に、照明器具１２を取り付ける際の接続作業も容易に行うことが可能になる。
【００２９】
なお、本発明は上記実施形態に限定されることなく種々の変更が可能である。例えば、本発明の構造用内装集成材は、梁用の構造材の他、柱用の構造材として使用することもできる。また、切欠き溝に沿って耐熱配管材を設ける必要は必ずしもなく、ラミナ片を間隔をおいた状態で配置しつつ他のラミナ材と積層一体化することにより、ラミナ材の全厚さに亘った切欠き溝による配線用貫通孔を設けるようにしても良い。さらに、切欠き溝は、ラミナ材の全厚さに亘って切り欠かれている必要は必ずしもなく、例えば図５（ａ）に示すように、ラミナ材の厚さの一部を切り欠いて形成した切欠き溝１５ａであっても良い。さらにまた、切欠き溝の断面形状は、矩形形状の他、半円形状、三角形状等、その他の種々の断面形状でも良く、構造用内装集成材による所望の強度を損なわない範囲で、２箇所以上の切欠き溝を、一枚又は複数枚のラミナ材に形成することもできる。
【００３０】
また、図５（ｂ）示すように、例えば切欠き溝を形成することなくラミナ材１３を積層することにより所望の強度が確保された構造用集成材２０に対して、上面に切欠き溝１５ｂを切欠き形成した補助ラミナ１３ｉを、集成材の最外層で且つ屋内側に配置されるラミナ材としてさらに接合一体化することにより、当該切欠き溝１５ｂによる配線用貫通孔が設けられた本発明の構造用内装集成材１０’を形成することもできる。このような構造用内装集成材１０’によれば、切欠き溝１５ｂによる断面欠損の構造用集成材２０自体への影響を回避して、構造用内装集成材１０’の所望の強度を確実且つ容易に保持することが可能になる。
【００３１】
【発明の効果】
本発明の構造用内装集成材によれば、照明器具等を接続させるための配線を、屋内に露出させることなく、且つデザイン性を損なうことなく配設することが可能になる。
【図面の簡単な説明】
【図１】本発明の一実施形態に係る構造用内装集成材を化粧梁として用いた状況を説明する景観図ある。
【図２】本発明の一実施形態に係る構造用内装集成材に照明器具を取り付けた状況を説明する部分破断斜視図ある。
【図３】本発明の一実施形態に係る構造用内装集成材の構成を説明する部分拡大斜視図ある。
【図４】切欠き溝が設けられたラミナ材の構成を説明する部分拡大斜視図ある。
【図５】（ａ）は切欠き溝の他の形態を説明する端面図、（ｂ）は構造用内装集成材の他の構成を説明する端面図ある。
【符号の説明】
１０，１０’  構造用内装集成材
１１  化粧梁
１２  照明器具
１３  ラミナ材
１３ａ  最も屋内側に配置されるラミナ材
１３ｂ  切欠き溝が設けられたラミナ材
１３ｉ  補助ラミナ
１４  配線用貫通孔
１５，１５ａ，１５ｂ  切欠き溝
１６  耐熱配管材
１７  分断されたラミナ片
１８  照明用の配線
１９  主梁
２０  構造用集成材
【図１】
2004276296.tif 000003
【図２】
2004276296.tif 000004
【図３】
2004276296.tif 000005
【図４】
2004276296.tif 000006
【図５】
2004276296.tif 000007